(57)【要約】【課題】移動脱水車が汚泥を脱水して回収し、回収した汚泥を移動式コンポスト車がコンポスト化できるようにすると共に、両車間における脱水ケーキの受け渡しを簡単で衛生的に受け渡してコンポスト化できるようにした移動コンポストシステムを提供する。【解決手段】有機質汚泥を脱水して脱水ケーキを生産する脱水設備を搭載した移動脱水車１０と、該脱水ケーキを微生物分解により発酵させてコンポストを生産する微生物分解設備搭載した移動コンポスト車４０とからなる移動コンポストシステムであって、移動脱水車１０には脱水ケーキを搬出するためのコンベア１７ａが車体の外部へ突出するように荷台に設置され、移動コンポスト車には微生物分解設備に脱水ケーキを受け渡すホッパー４７が設置されて、移動脱水車１０の車体の外部へコンベア１７ａを突出させて脱水ケーキをホッパー４７に受け渡して移動脱水車１０と移動コンポスト４０車間における脱水ケーキの受け渡しができるように構成した。【選択図】　図８
2004107136.tif 000002
【特許請求の範囲】
【請求項１】
有機質汚泥を脱水して脱水ケーキを生産する脱水設備を搭載した移動脱水車と、該脱水ケーキを微生物分解により発酵させてコンポストを生産する微生物分解設備を搭載した移動コンポスト車とからなる移動コンポストシステムであって、
移動脱水車には脱水ケーキを搬出するためのコンベアが車体の外部へ突出するように荷台に設置され、移動コンポスト車には微生物分解設備に脱水ケーキを受け渡すホッパーが設置されて、前記移動脱水車の車体の外部へ前記コンベアを突出させて脱水ケーキを前記ホッパーに受け渡して移動脱水車と移動コンポスト車間における脱水ケーキの受け渡しができるように構成したことを特徴とする移動コンポストシステム。
【請求項２】
請求項１記載の移動コンポストシステムにおいて、
移動コンポスト車には微生物分解設備に脱水ケーキを受け渡すホッパーが回転移動可能に設置されて車体の後部から左右の両側面の範囲に移動可能に設けられ、前記移動脱水車の車体の外部へ前記コンベアを突出させるとともに前記ホッパーを前記移動コンポスト車の車体の後部から左右の両側面の範囲に移動させて、移動脱水車と移動コンポスト車間における前記コンベアから搬送される脱水ケーキを前記ホッパーに受け渡し出きるように構成したことを特徴とする移動コンポストシステム。
【発明の詳細な説明】
【０００１】
【発明の属する技術分野】
本発明は、移動式脱水車と移動式コンポスト車の組合せによる移動コンポストシステムに関するものである。
【０００２】
【従来の技術】
従来の移動コンポストシステムとしては、汚泥の脱水処理からコンポスト処理まで一環した汚泥処理を行う移動式汚泥分解装置や移動式脱水車が知られている。（例えば特許文献１、特許文献２参照）
【０００３】
【特許文献１】
特開２００１−３３４２９４公報
【特許文献２】
特開平１０−３４１９６号公報
【０００４】
上記特許文献１（特開２００１−３３４２９４公報）に記載された移動式汚泥分解装置について、図１３乃至図１５を参照して説明する。図１３は従来の移動式汚泥分解装置における汚泥処理工程の一例を示す概略図である。図１３において、廃水処理場の汚泥貯留槽、固液分離槽、好気性生物処理槽、嫌気性生物処理槽などからの汚泥（有機質汚泥）１０７は混和槽１０２に導入される。混和槽１０２では薬剤タンク１０１から供給された薬剤１１０と汚泥１０７が混合される。混合された汚泥は汚泥脱水装置１０３に送られ、脱水処理される。脱水汚泥１０８は汚泥分解槽１０４に供給されて、汚泥分解槽１０４内で難分解性粒状物と混合され、微生物分解を受ける。分解終了後の分解残留物あるいは洗浄液１０９は汚泥分解槽１０４から引き抜かれる。また、図１３においては、汚泥分解槽１０４などを操作する操作盤１０５と電源１０６を積載している。そして、図１３のように構成した汚泥分解装置を図１４、図１５に示すように車両１００に積載して、廃水処理場の間を移動し、各処理場の汚泥を分解処理するものである。
【０００５】
この移動式汚泥分解装置は、車輌に汚泥分解槽を積載し、汚泥分解槽内には難分解性粒状物が充填されており、かつ汚泥と難分解性粒状物とを混合するための混合手段を備えて構成されたもので、分散して設置された廃水処理場を巡回して汚泥を分解処理することができる。
【０００６】
ところで、各地の廃水処理施設では、有機質汚泥の脱水処理からコンポスト処理まで一環した汚泥処理の要求だけでなく、自前でコンポスト処理をするため有機質汚泥の脱水処理だけの要求もあり、例えば、上記特許文献１（特開平１０−３４１９６号公報）に記載された移動式汚泥脱水車が使用される。
【０００７】
上記特許文献１（特開平１０−３４１９６号公報）に記載された移動式汚泥脱水車について、図１６乃至図１７を参照して説明する。図１６は、脱水システムのフローチャートであり、２点鎖線で囲んだ部分の各装置が移動車に積載される装置である。図中、符号２０１は、脱水に用いるスクリュープレス、２０２は汚泥タンク、２０３は汚泥の圧入ポンプ、２０４は凝集剤の混和タンク、２０５は凝集剤の溶解タンクである。汚泥タンク２０２は、汚泥処理場に設けられた汚泥の貯留槽２０６に接続解離できるようにしてあり、圧入ポンプ２０３は、この汚泥タンク２０２の汚泥を混和タンク２０４を経てスクリュープレス２０１に密封状態で圧入することができるようにしてある。符号２０７は、この脱水装置運転用の電源発電機を示し、２０８は操作盤である。
【０００８】
次に、脱水システムを構成する移動車外の装置について説明すると、符号２０９は給水源を示し、前述溶解タンク２０５とスクリュープレス２０１の洗浄管２０１ａに連結解離できるようにしてある。２１０はケーキの貯留ホッパーであり、スクリュープレス２０１のケーキ排出口の下方に設けたコンベアー２０１ｂに接続されている。２１１は分離槽であり、スクリュープレス２０１のろ液受２０１ｃに連結解離自在にするとともに、その上壁部をろ液槽２１２に連結し、その下壁部を汚泥の貯留槽２０６に連結している。符号２０６ａは汚泥供給ポンプ、２０６ｂは撹拌曝気用のブロワーを示すものである。
【０００９】
上述のように構成配設した脱水ユニットを図１７に示すように移動車（トラック）２００の荷台に塔載し、分散して設置された処理場を移動して、各処理場に設けた汚泥の貯留タンク２０６やケーキの貯留ホッパー２１０に、各装置を所定に基づいて接続して脱水処理をする。この脱水車を使用して有機質汚泥を脱水処理するには、現地に出動した脱水車の処理装置の汚泥タンク２０２を現地処理場の汚泥の貯留タンク２０６に接続し、ろ液受２０１ｃおよびケーキ排出用のコンベアー２０１ｂを現地に設置した分離槽２１１及びケーキの貯留ホッパー２１０に接続してスクリュープレス２０１を作動させる。
【００１０】
【発明が解決しようとする課題】
上記従来の移動式汚泥分解装置は、汚泥の脱水処理からコンポスト処理まで一環した汚泥処理を行うものであるが、コンポストのユーザーからの所定の汚泥でコンポスト化した良質のコンポストの要求に対しては、指定した廃水処理施設の汚泥でコンポスト化しなければならず、また、コンポスト化が始まって日数が経過した汚泥に対して、汚泥を途中で追加することもできない。このような場合には、微生物分解による汚泥分解処理が１次発酵終了段階までの期間（１台の車輌で３〜４日間）は脱水処理設備も使用できなくなる。この場合、作業時間が４〜５時間で終る汚泥の脱水処理もできなくなるため、自前でコンポスト処理をする廃水処理施設から汚泥の脱水処理だけの要求があると、重い重量のコンポスト処理設備を搭載した状態で移動式汚泥分解装置を現地に出動することを避けるため、移動式脱水車が現地に出動して対処しているが、空の車両で戻ってくるので移動式脱水車と移動式汚泥分解装置との移動コンポストシステムの効率を高めることが望まれていた。
【００１１】
本発明は、移動脱水車が汚泥を脱水して回収し、回収した汚泥を移動式コンポスト車がコンポスト化できるようにすると共に、移動脱水車と移動式コンポスト車間における脱水ケーキの受け渡しを簡単で衛生的に受け渡してコンポスト化できるようにした移動コンポストシステムを提供することを目的とする。
【００１２】
【課題を解決するための手段】
上記の目的を達成するために、請求項１記載の発明は、有機質汚泥を脱水して脱水ケーキを生産する脱水設備を搭載した移動脱水車と、該脱水ケーキを微生物分解により発酵させてコンポストを生産する微生物分解設備搭載した移動コンポスト車とからなる移動コンポストシステムであって、移動脱水車には脱水ケーキを搬出するためのコンベアが車体の外部へ突出するように荷台に設置され、移動コンポスト車には微生物分解設備に脱水ケーキを受け渡すホッパーが設置されて、前記移動脱水車の車体の外部へ前記コンベアを突出させて脱水ケーキを前記ホッパーに受け渡して移動脱水車と移動コンポスト車間における脱水ケーキの受け渡しができるように構成したことを特徴とする移動コンポストシステムである。
【００１３】
また、請求項２記載の発明は、上記の構成において、移動コンポスト車には微生物分解設備に脱水ケーキを受け渡すホッパーが回転移動可能に設置されて車体の後部から左右の両側面の範囲に移動可能に設けられ、前記移動脱水車の車体の外部へ前記コンベアを突出させるとともに前記ホッパーを前記移動コンポスト車の車体の後部から左右の両側面の範囲に移動させて、移動脱水車と移動コンポスト車間における前記コンベアから搬送される脱水ケーキを前記ホッパーに受け渡し出きるように構成したものである。
【００１４】
【発明の実施の形態】
以下、図面を参照して本発明の実施の形態を詳細に説明する。図１は、本発明に係る第１実施形態の移動脱水車の概略平面図、図２は、図１の移動脱水車の側面図、図３は、本発明に係る第２実施形態の移動脱水車の概略側面図、図４は、本発明に係る第１実施形態の移動コンポスト車の概略平面図、図５は、図４の移動コンポスト車の側面図、図６は、本発明に係る第２実施形態の移動コンポスト車の概略平面図、図７は、図６の移動コンポスト車の側面図、図８と図９は第１実施形態の移動脱水車と第１実施形態の移動コンポスト車の停車位置の第１例と第２例を示す概略平面図、図１０は第２実施形態の移動脱水車と第１実施形態の移動コンポスト車の停車位置の例を示す概略平面図、図１１と図１２は第１実施形態の移動脱水車と第２実施形態の移動コンポスト車の停車位置の第１例と第２例を示す概略平面図である。
【００１５】
図１，図２において、第１実施形態の移動脱水車１０は、トラック（車体）１１の荷台１２に、汚泥の脱水設備を搭載したものである。なお、この脱水設備は、荷台１２の側面を開放できるパン型のガルウイングフード１３により覆われている。この脱水設備は、汚泥に攪拌混入される凝集液を作製する薬液溶解設備１４と、薬液溶解設備１４で作製された凝集液と、処理される汚泥とを攪拌混合して汚泥フロックを生成させる汚泥反応槽１５と、この汚泥反応槽１５から排出された汚泥フロックを脱水するベルト型脱水機１６と、脱水処理により得られた脱水ケーキを外部に搬出する搬出用コンベア（ベルトコンベア）１７ａと、このベルト型脱水機１６のろ布をジェット水流により洗浄するろ布洗浄ポンプ１８と、装置全体を制御する制御盤１９及び図示しないが汚泥を汚泥反応槽１５に圧送するスラリーポンプ、図示しない発電機等を備えている。以下、これらの構成を詳細に説明する。
【００１６】
薬液溶解設備１４は、粉末の凝集剤を水とともに攪拌して凝集剤を液化して凝集液を作製する上段側の薬液溶解部１４ａと、作製された凝集液を貯留する下段側の薬液貯留部１４ｂとからなる。汚泥反応槽１５は、汚泥とカチオン系凝集液とを攪拌反応させる第１の反応タンク１５ａと、このカチオン系凝集液との反応により得られた懸濁物と、アニオン系凝集液とを攪拌反応させる第２の反応タンク１５ｂとにより構成されている。ベルト型脱水機１６は、２枚のエンドレスのろ布をロール間に架け渡し、モータ１６ａで駆動されると２枚のエンドレスのろ布間に挟み込んだ汚泥を加圧脱水するものである。
【００１７】
次に、移動脱水車１０の動作について説明する。そして、廃水処理場に設けられた汚泥の貯留槽から図示しないスラリーポンプにより、有機質汚泥を汚泥反応槽１５の第１の反応タンク１５ａに圧送する。第１の反応タンク１５ａに投入された汚泥は、所定量のカチオン系凝集液と攪拌混合される。この混合により汚泥中に懸濁物が生じる。懸濁物は、タンク内で対流している汚泥とともに、第２の反応タンク１５ｂへと移動し、第２の反応タンク１５ｂで懸濁物とアニオン系凝集液とが攪拌混合され、汚泥中に多量の汚泥フロックが生成される。
【００１８】
こうして生成された汚泥フロックはベルト型脱水機１６に供給される。第２の反応タンク１５ｂから供給された汚泥フロックはベルト型脱水機１６の２枚のエンドレスのろ布間に挟み込まれて、その中の水分を加圧脱水されて脱水ケーキになる。
【００１９】
この脱水ケーキは、後述する移動コンポスト車４０のホッパーに脱水ケーキを受け渡す段階で、ベルト型脱水機１６から排出されて、ステンレス製（又はベニヤ板製）のシュートＳの上を滑って、搬出用コンベア１７ａに供給される。なお、移動コンポスト車４０のホッパーに脱水ケーキを受け渡す段階では、搬出用コンベア１７ａは車体の側面から外部に突出して配置される。
【００２０】
上記の第１実施形態の移動脱水車１０では、搬出用コンベア１７ａを車体１１の荷台１２の短手方向にスライドさせて車体の側面から外部に突出して配置するものを説明したが、図３の第２実施形態の移動脱水車１０ａのように搬出用コンベア１７ｂを車体１１の荷台１２の長手方向にスライドさせて車体の後面から外部に突出して配置するものでも差し支えない。この第２実施形態の移動脱水車１０ａは、搬出用コンベア１７ｂの構成が第１実施形態の移動脱水車１０の搬出用コンベア１７ａの構成と相違するが、他の構成は移動脱水車１０と同じであるので、その説明は省略する。
【００２１】
次に、図４，図５を参照して第１実施形態の移動コンポスト車４０について説明する。この移動コンポスト車４０は、トラック（車体）４１の荷台４２に、微生物分解設備を搭載したものである。なお、この微生物分解設備は、荷台４２の側面を開放できるパン型のガルウイングフード４３により覆われている。この微生物分解設備は、汚泥の微生物分解を行う発酵槽４４、活性炭等の脱臭剤を備え発酵槽４４から発生するガスを脱臭する脱臭装置４５、装置全体を制御する制御盤４６及び図示しない発電機等を備えている。そして、発酵槽４４には、脱水ケーキを荷台４２からの高さが低く、車体４１の後部又は側部の所定の位置で受け入れるホッパー４７と、このホッパー４７で受け入れた脱水ケーキを発酵槽４４内に蓄積させる発酵槽４４の上部の所定の位置まで搬送する搬送機構（コンベア）４８が設置されている。
【００２２】
上記の移動コンポスト車４０では、搬送機構４８を発酵槽４４に固定して設けて、搬送機構４８に脱水ケーキを投入するためのホッパー４７は、車体４１の後部又は側部の所定の位置で脱水ケーキを受け入れる構成としたものを説明したが、図６，図７の第２実施形態の移動コンポスト車４０ａのようにホッパー４７ａで受け入れた脱水ケーキを発酵槽４４の上部の位置まで搬送する搬送機構（コンベア）４８ａを発酵槽４４の上部に回転動可能に設けて、移動コンポスト車４０ａの車体４１の後部から左右の両側面に回転移動可能にホッパー４７ａを設けても差し支えない。この移動コンポスト車４０ａは、搬送機構（コンベア）４８ａとホッパー４７ａの構成が第１実施形態の移動コンポスト車４０の搬送機構（コンベア）４８とホッパー４７の構成と相違するが、他の構成は移動コンポスト車４０と同じであるので、その説明は省略する。
【００２３】
次に、第１実施形態の移動コンポスト車４０の動作について説明する。廃水処理場内の駐車場に移動コンポスト車４０を駐車しておく。このとき移動コンポスト車４０のホッパー４７は、車体４１の後部の位置に配置されている。そして、第１実施形態の移動脱水車１０が図８のように移動コンポスト車４０の後部に停車して、移動コンポスト車４０と移動脱水車１０がＬ字状に駐車する。移動脱水車１０では、搬出用コンベア１７ａを車体１１の荷台１２の短手方向にスライドさせて車体の側面から外部に突出してホッパー４７に届く位置に配置され、廃水処理場に設けられた汚泥の貯留槽から図示しないスラリーポンプにより、有機質汚泥を汚泥反応槽１５に圧送して有機質汚泥の脱水処理を開始し、移動脱水車１０は移動コンポスト車４０のホッパー４７に脱水ケーキを受け渡す。
【００２４】
上記のように脱水ケーキを受け渡す場合、移動脱水車１０は図９のように移動コンポスト車４０の側部に平行に駐車してもよい。即ち、移動コンポスト車４０の側部に平行に駐車た移動脱水車１０は、搬出用コンベア１７ａを車体１１の荷台１２の短手方向にスライドさせて車体の側面から移動コンポスト車４０の側面に突出してホッパー４７に届く位置に配置され、移動脱水車１０は、移動コンポスト車４０のホッパー４７に脱水ケーキを受け渡す。
【００２５】
移動コンポスト車４０では、荷台４２からの高さの低い位置に配置したホッパー４７で受け入れた脱水ケーキを発酵槽４４の上部の所定の位置まで搬送する搬送機構（コンベア）４８により、発酵槽４４内に蓄積させた後、発酵槽４４内にゼオライト等の多孔性セラミック粒体、多孔性樹脂成形粒体、繊維で形成された粒状物、木片、木質チップ、バーク、籾殻、活性炭、炭等の副資材を投入して攪拌し、副資材を脱水ケーキと混入して微生物分解により発酵させ、３〜４日間して１次発酵を終了した段階でコンポスト処理を終了し、コンポストのユーザーに引き渡す。なお、上記の１次発酵までの日数を短縮したい場合には、上記の副資材に加えてＥＭ菌、光合成菌、その他の発酵促進剤、微生物活性剤（酵素）等を発酵槽４４に投入して攪拌すると１次発酵までの日数を短縮できる。
【００２６】
移動コンポスト車４０の駐車位置に移動脱水車１０ａが駐車する場合には、図９に示すように、移動コンポスト車４０の側面に移動脱水車１０ａの後部が近接して、移動コンポスト車４０と移動脱水車１０ａがＬ字状に駐車する。移動脱水車１０ａでは、搬出用コンベア１７ａを車体１１の荷台１２の長手方向にスライドさせて車体の後面から外部に突出してホッパー４７に届く位置に配置され、移動脱水車１０ａは、移動コンポスト車４０のホッパー４７に脱水ケーキを受け渡す。
【００２７】
次に移動コンポスト車４０ａの動作について説明する。廃水処理場内の駐車場に移動コンポスト車４０ａを駐車しておく。このとき移動コンポスト車４０ａのホッパー４７ａは、車体４１の後部から左右の両側面の位置に回転移動可能に配置されている。そして、移動脱水車１０が図１１のように移動コンポスト車４０ａの側部に平行にＰ１の位置で駐車する。移動脱水車１０では、搬出用コンベア１７ａを車体１１の荷台１２の短手方向にスライドさせて車体の側面から外部に突出してホッパー４７ａに届く位置に配置し、移動脱水車１０は、廃水処理場に設けられた汚泥の貯留槽から図示しないスラリーポンプにより、有機質汚泥を汚泥反応槽１５に圧送して有機質汚泥の脱水処理を開始し、移動コンポスト車４０ａのホッパー４７ａに脱水ケーキを受け渡す。このとき、移動脱水車１０が移動コンポスト車４０ａと平行にＰ２の位置で駐車した場合には、移動脱水車１０の搬出用コンベア１７ａを車体１１の荷台１２の短手方向にスライドさせて車体の側面から外部に突出すると、ホッパー４７ａとは外れた位置となってしまう。このような場合、ホッパー４７ａを回転移動すれば搬出用コンベア１７ａはホッパー４７ａに届く位置になり、移動脱水車１０は、移動コンポスト車４０ａのホッパー４７ａに脱水ケーキを受け渡すことができる。
【００２８】
図１２に示すように、移動コンポスト車４０ａの後部に移動脱水車１０の側面が位置するように移動コンポスト車４０ａと移動脱水車１０がＬ字状に駐車する場合、移動脱水車１０がＱ１の位置でときに、移動脱水車１０の車体の側面から外部に突出させた搬出用コンベア１７ａがホッパー４７ａに届く位置であるときに、移動脱水車１０がＱ２の位置で駐車したときに、ホッパー４７ａとは外れた位置となってしまう。このような場合も、ホッパー４７ａを回転移動すれば搬出用コンベア１７ａはホッパー４７ａに届く位置になり、移動脱水車１０は、移動コンポスト車４０ａのホッパー４７ａに脱水ケーキを受け渡すことができる。
【００２９】
このことは、第２実施形態の移動脱水車１０ａのように車体の後面から外部に突出させた搬出用コンベア１７ｂをホッパー４７ａに届く位置に配置させる場合も、移動脱水車１０ａの駐車した位置のずれによる搬出用コンベア１７ｂとホッパー４７ａの位置ずれは、ホッパー４７ａを回転移動すれば搬出用コンベア１７ａはホッパー４７ａに届く位置になり、移動脱水車１０ａは、移動コンポスト車４０ａのホッパー４７ａに脱水ケーキを受け渡すことができる。
【００３０】
尚、移動コンポスト車４０（４０ａ）を廃水処理場の外部に駐車した場合には、移動脱水車１０が移動コンポスト車４０（４０ａ）の近辺に停車するときまでに、廃水処理場で有機質汚泥を回収して有機質汚泥の脱水処理を終えて戻ってくる場合もある。このような場合には、移動脱水車１０（１０ａ）ではスラリーポンプによる有機質汚泥の回収はおこなわれず、移動コンポスト車４０（４０ａ）のホッパー４７（４７ａ）には、回収した有機質汚泥による脱水ケーキが受け渡される。
【００３１】
また、移動コンポスト車の微生物分解設備に入れる副資材や発酵促進剤、微生物活性剤（酵素）は、移動コンポスト車で容易に設定できるので要求された汚泥に合わせて副資材や発酵促進剤、微生物活性剤（酵素）を選択すれば、要求に合ったコンポストを製造でき、この移動コンポスト車は要求された場所へコンポストを搬送して、ユーザーに届けることができる。
【００３２】
【発明の効果】
本発明は、移動脱水車が有機質汚泥を脱水して回収し、搬出用コンベアを使用して回収した汚泥による脱水ケーキを移動コンポスト車の微生物分解設備に簡単で衛生的に受け渡してコンポスト化できる。
【００３３】
また、移動コンポスト車のホッパーを車体の後部から左右の両側面の位置に回転移動可能することで、移動式コンポスト車と移動脱水車の駐車位置のずれによる搬出用コンベアとホッパーの位置ずれは、ホッパーを回転移動して搬出用コンベアとホッパーの位置合わせができるので、移動脱水車と移動コンポスト車の駐車位置はそれほど厳密な駐車位置でなくても良くなり作業性が向上する等優れた効果を奏する。
【図面の簡単な説明】
【図１】本発明に係る第１実施形態の移動脱水車の概略平面図である。
【図２】図１の移動脱水車の側面図である。
【図３】本発明に係る第２実施形態の移動脱水車の概略側面図である。
【図４】本発明に係る第１実施形態の移動コンポスト車の概略平面図である。
【図５】図４の移動コンポスト車の側面図である。
【図６】本発明に係る第２実施形態の移動コンポスト車の概略平面図である。
【図７】図６の移動コンポスト車の側面図である。
【図８】第１実施形態の移動脱水車と第１実施形態の移動コンポスト車の停車位置の第１例を示す概略平面図である。
【図９】第１実施形態の移動脱水車と第１実施形態の移動コンポスト車の停車位置の第２例を示す概略平面図である。
【図１０】第２実施形態の移動脱水車と第１実施形態の移動コンポスト車の停車位置の第２例を示す概略平面図である。
【図１１】第１実施形態の移動脱水車と第２実施形態の移動コンポスト車の停車位置の第１例を示す概略平面図である。
【図１２】第１実施形態の移動脱水車と第２実施形態の移動コンポスト車の停車位置の第２例を示す概略平面図である。
【図１３】従来の移動式汚泥分解装置における汚泥処理工程の一例を示す概略図である。
【図１４】従来の移動式汚泥分解装置の一例の平面図を示す図である。
【図１５】従来の移動式汚泥分解装置の一例の側面図を示す図である。
【図１６】従来の脱水システムのフローチャートである。
【図１７】汚泥の脱水設備を塔載した移動車の従来例の側面図である。
【符号の説明】
１０，１０ａ　移動脱水車
１１，４１　車体
１２，４２　荷台
１３，４３　ガルウイングフード
１４　薬液溶解設備
１５　汚泥反応槽
１５ａ　第１の反応タンク
１５ｂ　第２の反応タンク
１６　ベルト型脱水機
１６ａ　モータ
１７ａ　搬出用コンベア
１８　ろ布洗浄ポンプ
１９　制御盤
４０，４０ａ　移動コンポスト車
４４　発酵槽
４５　脱臭装置
４６　制御盤
４７，４７ａ　ホッパー
４８，４８ａ　搬送機構（コンベア）
【図１】
2004107136.tif 000003
【図２】
2004107136.tif 000004
【図３】
2004107136.tif 000005
【図４】
2004107136.tif 000006
【図５】
2004107136.tif 000007
【図６】
2004107136.tif 000008
【図７】
2004107136.tif 000009
【図８】
2004107136.tif 000010
【図９】
2004107136.tif 000011
【図１０】
2004107136.tif 000012
【図１１】
2004107136.tif 000013
【図１２】
2004107136.tif 000014
【図１３】
2004107136.tif 000015
【図１４】
2004107136.tif 000016
【図１５】
2004107136.tif 000017
【図１６】
2004107136.tif 000018
【図１７】
2004107136.tif 000019